(57)【特許請求の範囲】
【請求項１】
少なくとも１層の、好ましくはアルミニウムの金属箔を含有し、熱可塑性物質により被覆されたパッケージ材料（１１）を密封する装置にして、該装置が高周波電流源に連結され、平行に隔置された伝導体（２，３）と、磁性材料の芯材（５）と、電気的に絶縁するキャリヤ部分（４）とを備えた誘導子（１）を有し、前記伝導体（２，３）が数において３個であり、該伝導体（２，３）内の電流密度が等しくなるように配置されていることを特徴とする装置。
【請求項２】
請求項１に記載の装置において、前記３個の伝導体（２，３）の真ん中のもの（３）がほぼＵ字形の溝を形成していることを特徴とする装置。
【請求項３】
請求項１に記載の装置において、前記伝導体（２，３）が並列に連結されていることを特徴とする装置。
【請求項４】
請求項１に記載の装置において、前記伝導体（２，３）が直列に連結されていることを特徴とする装置。
【請求項５】
請求項１に記載の装置において、前記伝導体（２，３）がコンデンサーを介して結合されていることを特徴とする装置。
【請求項６】
請求項１に記載の装置において、前記誘導子（１）が密封顎（９）内に配置され、該密封顎（９）が対向顎（１０）に対して押し付けられるようにされており、一方、密封しようとする材料（１１）が前記顎（９，１０）の間に収容されるようになっていることを特徴とする装置。
【請求項７】
請求項１に記載の装置において、前記伝導体（２，３）が、僅かに突出した長手方向の稜部（１４）を有し、パッケージ材料（１１）の部分に対する圧縮力が、前記稜部（１４）に沿って密封のため局部的に増加するようにされていることを特徴とする装置。
【請求項８】
請求項８に記載の装置において、前記稜部（１４）の高さが０．３ｍｍであることを特徴とする装置。
【発明の詳細な説明】
【０００１】
【産業上の利用分野】
本発明は、少なくとも１層の、好ましくはアルミニウムの金属箔を含有し、熱可塑性物質により被覆されたパッケージ材料を密封する装置にして、該装置が高周波電流源に連結され、ほぼ平行で僅かに隔置された伝導体と、磁性材料の芯材と、電気的に絶縁するキャリヤ部分とを備えた誘導子を有する装置に関する。
【０００２】
【従来の技術とその問題点】
パッケージ工業界においては、熱可塑性の外層をもつパッケージ材料にして、これら外層が加熱、圧縮後の溶融により一緒に密封され、緊密にして耐久性のある密封結合またはシームを実現することが出来るパッケージ材料を使用することが久しい以前から知られていた。例えば、かかる材料が充填機械を通してウェブ形態で供給され、重ね結合により長手方向に密封され、管に形成されている。この材料管が、所望の内容物を充填され、その後、管は独立のパッケージを形成するように横方向に密封、切断され、以後の工程において、例えば平行６面体のパッケージまたはカートン形態に最終的に成形される。
横方向密封が所謂誘導密封により行われる場合には、好ましくはアルミニウム箔のような金属箔を含有するパッケージ材料を使用することが理想的である。かかる誘導密封のための装置は、スウェーデン特許ＳＥ  ４５１９７３  に開示されている。この例では、誘導電流がパッケージ材料のアルミニウム層内に誘導され、この電流がアルミニウム層に隣接して置かれた熱可塑性層を加熱し、該熱可塑性層を対応する熱可塑性層に対して密封させることが出来る。
しかし、上記特許明細書に記載されたパッケージ素材を横方向に密封する方法は、粘性の高い製品や、殻粒、果実の種子、繊維のような粒子を含む製品をパッケージするのには不適当であることが判った。上記の方法によれば、２個のほぼ平行な横方向密封が行われ、その間で、パッケージ管が独立のパッケージ素材を形成するように切断される。この場合、横方向密封の外側に製品の残留物が蓄積するであろう密封フラップまたはフィンが形成される。これら製品の残留物は、パッケージの保存の際、非常に不快な非健康的な外観を呈する。
【０００３】
【本発明の目的および目的を達成するための手段】
本発明の目的は、粘性の高い製品や、殻粒、果実の種子、繊維のような粒子を含む製品に対して適切な、また、製品の残留物が集まるであろう密封フラップまたはフィンが存在しないようにパッケージの横方向密封を行なう誘導密封のための装置を実現することである。
この目的および他の目的は、冒頭に述べた形式の装置にして、伝導体が数において３個であり、伝導体内の電流密度が等しくなるように配置されていることを特徴とする本発明により実現される。
本発明の好適実施例はさらに、従属特許請求の範囲に記載の特徴を有している。
以下、本発明の好適実施例を付図を参照して詳細に説明する。
【０００４】
【実施例】
本発明の誘導子１が図１に示されている。誘導子１は、電気的絶縁キャリヤ層４内に置かれた３個のほぼ平行な伝導体２，３を有し、キャリヤ層４はその内部にフェライト材料の芯材５を収容している。フェライト材料の芯材５は３個の伝導体２，３から絶縁されている。外側伝導体２は共に、緩やかに丸められた断面か、正方形または長方形断面を有している。外側伝導体２は共に内部に冷却液を通すための冷却ダクト６を形成されている。中心伝導体３は、ほぼＵ字形の外観を有している。各伝導体はその上面７に、周囲の面７から約０．３ｍｍ突出しているビードまたは稜部１４を有している。
３個の伝導体２，３は好ましくは、高周波交流電源（図示せず）に並列に連結されている。このような例では、中心伝導体３には相当高い電流力が得られるのであるが、中心伝導体３の（上方に開いたＵ字形の）形態のために、３個の伝導体の上面７における電流密度がほぼ等しい誘導子１が得られる。
【０００５】
本発明の誘導子１はまた、コンデンサーを用いて直列に誘導的に連結させてもよい。
誘導子１は鋼体８により補強されており、誘導子１全体は、所望の密封運動を加えられて所望の密封圧力を生じさせる密封顎９内に置かれている。密封顎９は、同じように動き得る対向顎１０に向かって動くように作動する。横方向に密封されるべきパッケージ材料１１が、密封顎９と対向顎１０との間に進められる。パッケージ材料１１は、両顎９，１０の間に、一緒に溶融または密封されるべき２個の熱可塑性層１２が互いに対向するように置かれる。
２個の密封顎９，１０が互いに向かって移動し、横方向に密封されるべきパッケージ材料１１を顎の間に捕らえたとき、３個のほぼ平行な密封線を有する密封が、真ん中の密封線が最も広い領域をもって形成される。２個の密封顎９，１０が互いに押し付けられると、伝導体上の稜部１４が、僅かに大きい圧縮力を局部的に生じさせ、より信頼性が高く緊密なパッケージ材料１１の密封を形成するのに貢献する。パッケージ材料１１は、可動の対向顎１０内に置かれたナイフ１３が材料１１を通り中心伝導体３のＵ字形溝の中へと移動することにより、真ん中の密封結合またはシームにおいて切断される。
【０００６】
【発明の効果】
本発明の誘導子１を用いて横方向密封を行った後には、あり得る製品残留物は、外側伝導体２の横方向密封と中心伝導体３の横方向密封との間に閉じ込められる。かかる場合、あり得る製品残留物は、パッケージの残りの部分と同じく無菌である材料のなかに閉じ込められ、例えば、繊維、果実の種子、または殻粒を含んだ製品を容器内に充填することに対する障害とはならない。中心密封結合またはシームにおいて切断されたパッケージは、製品残留物が集まるような密封フィンを有していない。
上記説明から明らかなように、本発明は、パッケージ素材を切断し、独立のパッケージを形成する際、密封フィンまたはフラップが形成されないような、パッケージ素材を横方向に密封する装置を実現している。本実施例においては、高い粘性の内容物、または、果実の種子、殻粒、または繊維のような粒子を含有した内容物を充填するのに非常に適した横方向密封が得られる。
本発明は、上記記載および付図に限定されると考えられるべきではなく、添付された特許請求の範囲に記載の精神および範囲から逸脱することなく多くの改変が考えられる。
【図面の簡単な説明】
【図１】誘導子の断面図
【図２】本発明の誘導子を用いてパッケージ材料を密封する方法を示す。
【符号の説明】
１    誘導子
２    外側伝導体
３    中心伝導体
４    電気絶縁キャリヤ層
５    芯材
６    冷却ダクト
７    上面
８    鋼体
９    密封顎
１０  対向顎
１１  密封材料
１３  ナイフ
１４  稜部
【図１】
0003631268.tif 000002
【図２】
0003631268.tif 000003